(57)【要約】      （修正有）【課題】使用者の体重をかけても、各弾力ひも（又は弾力帯）との間隔の広がりを抑え、快適な座り心地を提供すると共に、複数の弾力ひも（又は弾力帯）と複数の可撓性支持部材とを縦横交互に編み合わせることにより、組み立て時に作業時間を節約でき、且つ手間も省くことができる椅子用弾性支持構造を提供する。【解決手段】本発明に係る椅子用弾性支持構造は、それぞれに、平行に並列され、弾性体１１と該弾性体１１の両端に連結された二つの固定部材１２を含み、伸縮弾力性を有する扁平状の弾力帯、又は平行に並列される複数の弾力ひもからなる扁平状の弾力帯のような複数の弾性部材１０と、それぞれに、前記複数の弾性部材１０が縦横交互に編み合わされ、伸縮弾力性を有しない扁平状の帯のような複数の可撓性支持部材２０と、を備えるものである。【選択図】図１
2020099663.tif 000002
【特許請求の範囲】
【請求項１】
それぞれに、平行に並列され、弾性体と該弾性体の両端に連結された二つの固定部材を含み、伸縮弾力性を有する扁平状の弾力帯、又は平行に並列される複数の弾力ひもからなる扁平状の弾力帯のような複数の弾性部材と、
それぞれに、前記複数の弾性部材が縦横交互に編み合わされ、伸縮弾力性を有しない扁平状の帯のような複数の可撓性支持部材と、を備えることを特徴とする椅子用弾性支持構造。
【請求項２】
前記可撓性支持部材が、前記弾性部材に巻かれ、その端部が該可撓性支持部材に固定されることを特徴とする請求項１に記載の椅子用弾性支持構造。
【請求項３】
前記可撓性支持部材のそれぞれの端部が縫製によって固定されることを特徴とする請求項２に記載の椅子用弾性支持構造。
【発明の詳細な説明】
【技術分野】
【０００１】
本発明は、特に椅子の弾性支持構造に関するものである。
【背景技術】
【０００２】
従来の、弾性支持構造を有する椅子は主に、複数の弾力ひも（又は弾力帯）を椅子のフレームの両側の支柱の間に平行に並列させて連結し、これらの横方向に平行に並列された複数の弾力ひも（又は弾力帯）での弾性支持により、使用者に快適性かつ通気性の良い座り心地を提供する。
【０００３】
しかしながら、上述した、従来の弾性支持構造では、横方向に配置された各弾力ひも（又は弾力帯）が、個別に使用者の体重を支持しており、且つ、弾力ひも（又は弾力帯）が横方向に配置されていることから、荷重が不均一になると共に、使用者が体重をかけると、弾力ひも（又は弾力帯）との間の間隔が広がってしまうので、使用者に快適な座り心地を提供することが困難である。また、弾性支持構造を用いた椅子を一定期間使用すると、長期間に亘り荷重がかかることから、該弾力ひも又は弾力帯が弾性疲労によって緩まり、弾性支持構造の荷重能力が低下してしまうので、快適な座り心地を提供できなくなるといった問題があった。
【０００４】
また、もう一種類の椅子用の弾性支持構造は、複数の弾力ひも（又は弾力帯）を縦横交互に編み込むと共に、複数の弾力ひも（又は弾力帯）をそれぞれ、椅子のフレームの両側の支柱の間に連結させ、これらの横方向及び縦方向の弾性支持により、上述した、単に横方向に配置された弾力ひも（又は弾力帯）が、長期間に亘る荷重の影響で弾性疲労になりやすいとの問題の改善したものである。
【０００５】
しかしながら、上述した複数の弾力ひも（又は弾力帯）を縦横交互に編み込んだ弾性支持構造において、横方向及び縦方向に配置された弾力ひも（又は弾力帯）は全て弾性部材であることから、使用者が体重をかけると、横方向及び縦方向に配置された弾力ひも（又は弾力帯）の間隔が、広がってしまい、使用者に快適な座り心地を提供することが困難となり、また、横方向及び縦方向に配置された弾力ひも（又は弾力帯）のそれぞれの両端部を、固定部材を介して椅子のフレームに固定する必要があるため、組み立て時に時間や手間がかかると言った問題点があった。
【発明の概要】
【発明が解決しようとする課題】
【０００６】
本発明は、以上のような従来の欠点に鑑み、使用者の体重をかけても、各弾力ひも（又は弾力帯）との間隔の広がりを抑え、快適な座り心地を提供すると共に、複数の弾力ひも（又は弾力帯）と複数の可撓性支持部材とを縦横交互に編み合わせることにより、組み立て時に作業時間を節約でき、且つ手間も省くことができる。
【課題を解決するための手段】
【０００７】
本発明に係る椅子用弾性支持構造は、
それぞれに、平行に並列され、弾性体と該弾性体の両端に連結された二つの固定部材を含み、伸縮弾力性を有する扁平状の弾力帯、又は平行に並列される複数の弾力ひもからなる扁平状の弾力帯のような複数の弾性部材と、
それぞれに、前記複数の弾性部材が縦横交互に編み合わされ、伸縮弾力性を有しない扁平状の帯のような複数の可撓性支持部材と、を備えるものである。
【０００８】
前記可撓性支持部材が、前記弾性部材に巻かれ、その端部が該可撓性支持部材に固定されることが好ましい。
【０００９】
前記可撓性支持部材のそれぞれの端部が縫製によって固定されることが好ましい。
【発明の効果】
【００１０】
本発明の椅子用弾性支持構造は、座面及び背もたれを、椅子のフレームに設置することができ、更に、以下に説明するような利点も有する。
１、本発明の椅子用弾性支持構造は、弾性部材と可撓性部材に荷重がかかった時の変形による隙間の発生を防ぎ、快適な座り心地を提供することができ、つまり、複数の弾性部材と複数の可撓性支持部材とを縦横交互に編み込むことによって形成された受け部材であり、ここでの弾性部材は、伸縮弾力性のある弾性体であることから、弾性支持構造に必要な荷重弾性をもたらしており、また、快適な座り心地と通気性を持つ弾性支持構造に対し、可撓性支持部材は、伸縮弾力性のない可撓性体であるとともに、複数の可撓性支持部材は、平織りのように、複数の弾性部材の間に編み込むことによって、複数の弾性部材に分散され、且つ適当な拘束力が発生するので、弾性部材と可撓性支持部材に荷重がかかる時の変形による隙間の発生を効果的に抑制し、快適な座り快適性を提供することができる。
２、本発明に係る椅子用弾性支持構造は、複数の弾性部材と複数の可撓性支持部材とを縦横交互に編み込んで形成された受け部材であり、つまり、各弾性部材の両端部を椅子のフレームに固定するだけで組み立てを完成させることができるので、従来の横方向及び縦方向に配置された弾力ひも（又は弾力帯）のそれぞれの両端部を椅子のフレームに固定する組み立て方法と比べると、本発明は優れた構成を備えていると共に、高い便利性を有する。
３、弾性部材における過剰な荷重による弾性疲労を効果的に抑制する。上述したように、本発明の椅子用の弾性支持構造は、複数の弾性部材と複数の可撓性支持部材とを縦横交互に編み込むことによって、各弾性部材に分散され、且つ適当な拘束力が発生するので、過剰な荷重による弾性疲労を効果的に抑制することにより、弾性支持構造の使用寿命を向上させることができる。
【図面の簡単な説明】
【００１１】
【図１】本発明に係る椅子の弾性支持構造を座面及び背もたれに使用した状態を示す斜視図である。
【図２】図１の部分拡大図である。
【図３】図１及び図２に示した椅子の弾性支持構造を座面及び背もたれに使用した状態を示す平面図である。
【図４Ａ】本発明に係る椅子の弾性支持構造の好適な実施例において、可撓性支持部材が縫製によって固定された状態を示す側面断面図である。
【図４Ｂ】図４Ａの部分拡大図である。
【図５Ａ】本発明に係る椅子の弾性支持構造の好適な実施例の他の形態において、可撓性支持部材が留め具によって固定された状態を示す側面断面図である。
【図５Ｂ】図５Ａの部分拡大図である。
【発明を実施するための形態】
【００１２】
本発明の弾性支持構造１は、主に椅子の座面、又は、椅子の背もたれに使用するものである。図１〜図３は、本発明の弾性支持構造１を座面及び背もたれに使用した状態を示すものであり、これらの図からも分かるように、本発明の弾性支持構造１は、複数の弾性部材１０及び複数の可撓性支持部材２０を含む。
【００１３】
図１〜図３に示すように、複数の弾性部材１０はそれぞれ、平行に並列されると共に、弾性体１１と二つの固定部材１２を含み、そのうち弾性体１１は、伸縮弾力性のある長尺状のものであり、該二つの固定部材１２はそれぞれ、該弾性体１１の両端に接続され、該固定部材１２は、連結部及び該連結部の対向する一端に形成される固定板部を備え、該連結部は、前記弾性体１１の端部を挿通するように連結され、該固定部は、一つ又は複数の通し穴を有する。
【００１４】
図１〜図３に示すように、前記各弾性体１１は、一本の扁平状の弾力帯であってもよく、又は、図４Ａ、図５Ａに示すように、平行に並列される複数の弾力ひもからなる扁平状の弾力帯であってもよく、該弾力ひもは、断面形状が円形、多辺形、又は他の任意の形状でも構わない長尺状のものである。
【００１５】
図１〜図３に示すように、前記複数の可撓性支持部材２０は、伸縮弾力性のない可撓性体であり、該可撓性支持部材２０は、例えば、ウェビングなどの扁平状の帯であってもよい。該複数の可撓性支持部材２０と前記複数の弾性部材１０とは縦横交互に編み込むように連結される。
【００１６】
図４Ａ、図４Ｂに示すように、前記弾性支持構造１において、各可撓性支持部材２０が、前記弾性部材１０に巻かれ、その端部が該可撓性支持部材２０に固定される。尚、各可撓性支持部材２０の端部はそれぞれ、縫製によって固定されてもよく、又はリベット留めによって固定されてもよく、又は図５Ａ、図５Ｂに示すように、留め具２２によって固定されてもよく、又は面ファスナーによって固定されてもよい。尚、前記各可撓性支持部材２０の端部がそれぞれ、該留め具２２又は面ファスナーによって固定される場合、該可撓性支持部材２０は、該複数の弾性部材１０と取り外し可能に連結されているので、交換が可能である。
【００１７】
図１〜図３に示すように、本発明の弾性支持構造１は、椅子の座面や背もたれとして椅子のフレーム２に設置することができ、つまり、前記各弾性部材１０の両端の固定部材１２はそれぞれ、ネジなどの固定手段により該フレーム２の支柱２Ａに固定され、且つ該弾性支持構造１は、該複数の弾性部材１０と複数の可撓性支持部材２０とを縦横交互に編み込んで連結するように形成された受け部材であって、使用者が着座するものであり、又は使用者の背中を支持するものである。
【００１８】
本発明の弾性支持構造１を、椅子の座面及び背もたれとして使用する時は、該複数の弾性部材１０と複数の可撓性支持部材２０とを縦横交互に編み込んで連結することによって受け部材を形成する。ここでの弾性部材１０は、伸縮弾力性を有する弾性体であり、該弾性支持構造１に必要な荷重弾性を提供する。また、快適な座り心地と通気性を持つ前記弾性支持構造１に対し、前記可撓性支持部材２０は、伸縮弾力性を有しない可撓性体であるとともに、該複数の可撓性支持部材２０は、平織りのように、該複数の弾性部材１０の間に編み込まれていることで、該複数の弾性部材１０に分散され、且つ適当な拘束力が発生しているので、該弾性部材１０と可撓性支持部材２０に荷重がかかった時の変形による隙間の発生を効果的に抑制し、快適な座り心地を提供できると共に、過剰な荷重による弾性疲労を効果的に防止できるので、該弾性支持構造１の使用寿命を向上させることができる。
【００１９】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾もすべて本考案の技術構想の範囲内にある。
【符号の説明】
【００２０】
１                 弾性支持構造
１０               弾性部材
１１               弾性体
１２               固定部材
２０               可撓性支持部材
２１               縫い目
２２               留め具
２                 フレーム
２Ａ               支柱
【図１】
2020099663.tif 000003
【図２】
2020099663.tif 000004
【図３】
2020099663.tif 000005
【図４Ａ】
2020099663.tif 000006
【図４Ｂ】
2020099663.tif 000007
【図５Ａ】
2020099663.tif 000008
【図５Ｂ】
2020099663.tif 000009
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
椅子用弾性支持構造であって、
それぞれに、平行に並列され、弾性体と該弾性体の両端に連結された二つの固定部材とを含む複数の弾性部材と、
それぞれに、前記複数の弾性部材が縦横交互に編み合わされ、伸縮弾力性を有しない扁平状の帯のような複数の可撓性支持部材と、を備え、
前記弾性体は、伸縮弾力性を有する扁平状の弾力帯、又は全体として扁平状となるように平行に並列される複数の弾力ひもからなり、
該可撓性支持部材が、該弾性部材に巻かれ、その端部が該可撓性支持部材に固定されることを特徴とする椅子用弾性支持構造。
【請求項２】
前記可撓性支持部材のそれぞれの端部が縫製によって固定されることを特徴とする請求項１に記載の椅子用弾性支持構造。